(57)【要約】【課題】実行した検査処理の結果を示す情報を表示部に表示させる電気機器、該電気機器の表示部に表示された情報を解析装置で解析する機器解析システム及び前記解析装置を提供する。【解決手段】空気調和機１が検査処理を実行する場合、制御部１０は、ＲＯＭ１１の検査情報テーブルから各検査内容を検査順序に従って読み出し、対応する検査処理を実行する。制御部１０は、検査情報テーブル内の全ての検査内容に対応する検査処理が終了した場合、全ての検査処理の結果をコード化して液晶表示部１５に表示させる。解析装置２は、スキャナ２５によって、液晶表示部１５に表示された２次元コードを読み取って解析し、空気調和機１での各検査処理の結果を取得する。制御部２０は、ＨＤＤ２６に予め記憶されている基準情報に基づいて、スキャナ２５によって取得した各検査処理の結果が正常な検査結果であるか否かを判断し、判断結果を表示部２４に表示させる。【選択図】図１
2008116301.tif 000002
【特許請求の範囲】
【請求項１】
表示部を備える電気機器において、
１又は複数の検査処理に係る検査情報を記憶してある検査情報記憶手段と、
該検査情報記憶手段に記憶してある各検査情報を読み出す読み出し手段と、
該読み出し手段が読み出した各検査情報に対応する検査処理を実行する検査手段と、
該検査手段が実行した各検査処理の結果を示す情報を前記表示部に表示させる表示制御手段と
を備えることを特徴とする電気機器。
【請求項２】
前記検査手段が実行した各検査処理の結果を示す情報をコード化するコード化手段を備え、
前記表示制御手段は、前記コード化手段がコード化した情報を前記表示部に表示させるように構成してあることを特徴とする請求項１に記載の電気機器。
【請求項３】
前記コード化手段は、前記検査手段が実行した各検査処理の結果を示す情報を単一のコードにコード化するように構成してあることを特徴とする請求項２に記載の電気機器。
【請求項４】
前記検査情報記憶手段は、複数の検査処理に係る検査情報を検査順序に対応して記憶する構成としてあり、
前記読み出し手段は、前記検査情報記憶手段から複数の検査情報を検査順序に従って読み出すように構成してあること
を特徴とする請求項１乃至３のいずれかひとつに記載の電気機器。
【請求項５】
前記検査情報は、自身の機器に取り付けられるべき部品の有無を検査するための情報であることを特徴とする請求項１乃至４のいずれかひとつに記載の電気機器。
【請求項６】
前記コード化手段は、前記検査処理の結果を示す情報を２次元コードにコード化するように構成してあることを特徴とする請求項１乃至５のいずれかひとつに記載の電気機器。
【請求項７】
表示部を有する電気機器と、該電気機器の動作を解析する解析装置とを備える機器解析システムにおいて、
前記電気機器は、
１又は複数の検査処理に係る検査情報を記憶してある検査情報記憶手段と、
該検査情報記憶手段に記憶してある各検査情報を読み出す読み出し手段と、
該読み出し手段が読み出した各検査情報に対応する検査処理を実行する検査手段と、
該検査手段が実行した各検査処理の結果を示す情報を前記表示部に表示させる表示制御手段とを有しており、
前記解析装置は、
前記検査処理における正常な検査結果を示す基準情報を記憶してある基準情報記憶手段と、
前記電気機器の表示部に表示された情報を取得する情報取得手段と、
該情報取得手段が取得した情報が示す各検査処理の結果及び前記基準情報記憶手段に記憶してある基準情報を比較する比較手段と、
該比較手段による比較結果を報知する手段と
を有していることを特徴とする機器解析システム。
【請求項８】
前記電気機器は、前記検査手段が実行した各検査処理の結果を示す情報をコード化するコード化手段を備え、
前記表示制御手段は、前記コード化手段が前記情報をコード化して得られたコードを前記表示部に表示させるように構成してあり、
前記解析装置は、
前記電気機器の表示部に表示されたコードを読み取るコード読み取り手段と、
該コード読み取り手段が読み取ったコードを解析する解析手段とを備え、
前記情報取得手段は、前記解析手段がコードを解析して得られた前記情報を取得するように構成してあること
を特徴とする請求項７に記載の機器解析システム。
【請求項９】
外部の表示装置に表示された情報を取得する情報取得手段を備える解析装置において、
前記情報取得手段が取得する情報に係る基準情報を記憶してある基準情報記憶手段と、
該基準情報記憶手段に記憶してある基準情報及び前記情報取得手段が取得した情報を比較する比較手段と、
該比較手段による比較結果を報知する手段と
を備えることを特徴とする解析装置。
【請求項１０】
外部の表示装置に表示されたコードを読み取るコード読み取り手段と、該コード読み取り手段が読み取ったコードを解析する解析手段とを備える解析装置において、
前記コード読み取り手段が読み取るコードに係る基準情報を記憶してある基準情報記憶手段と、
該基準情報記憶手段に記憶してある基準情報及び前記解析手段による解析結果を比較する比較手段と、
該比較手段による比較結果を報知する手段と
を備えることを特徴とする解析装置。
【請求項１１】
前記基準情報を外部から取得する取得手段と、
該取得手段が取得した基準情報を前記基準情報記憶手段に記憶させる手段と
を備えることを特徴とする請求項９又は１０に記載の解析装置。
【発明の詳細な説明】
【技術分野】
【０００１】
本発明は、検査処理の結果を示す情報を表示部に表示させる電気機器、該電気機器の動作を解析装置で解析する機器解析システム及び前記解析装置に関する。
【背景技術】
【０００２】
電気機器は、製品組み立て時に必要に応じて各種の検査処理が行なわれる。例えば、空気調和機の場合、空気調和機を適切に動作させるために必要な情報が入力される各種入力部品、具体的には、ユーザによって操作される各種スイッチ、空気の状態を計測する各種センサ等が正常に接続されているか否かを確認する検査処理が行なわれる。電気機器は、表示部を備える場合、このような検査処理の結果を表示部に表示させて検査担当者に通知する。検査担当者は、表示部に表示された検査処理の結果を目視で確認することにより、検査結果に異常があるか否かを判断する。
【０００３】
特許文献１には、電気機器を試験的に動作させた場合に、電気機器が、動作状態を示す動作状態情報をバーコード又は２次元コードで表示部に表示し、表示されたコードを、パーソナルコンピュータ（以下、ＰＣという）に接続されたスキャナで読み取り、読み取った動作状態情報をＰＣのモニタに表示させる検査システムが開示されている。検査担当者は、ＰＣのモニタに表示された動作状態情報を目視で確認することにより、電気機器が正常に動作しているか否かを判断する。
【特許文献１】特開２００５−１７２４７号公報
【発明の開示】
【発明が解決しようとする課題】
【０００４】
しかし、上述したように電気機器の表示部に検査処理の結果を表示させる場合、表示部の表示領域の大きさに応じて表示できる検査結果の数が制限されてしまい、また、表示された検査結果を検査担当者が目視で確認するため、一度に多くの検査結果の確認を行なうことは困難であるという問題がある。また、特許文献１の検査システムのように、電気機器の動作状態を示す動作状態情報をＰＣのモニタに表示させる場合、電気機器の表示部の表示領域が小さい場合であっても、多量の情報をＰＣのモニタに表示させることができるが、表示された情報を検査担当者が目視で確認するため、一度に確認できる情報量には限りがあるという問題がある。
【０００５】
本発明は斯かる事情に鑑みてなされたものであり、その目的とするところは、実行した各検査処理の結果を示す情報を表示部に表示させることにより、実行した各種の検査処理の結果を外部へ報知し、また、外部の装置によって効率よく解析することが可能な電気機器を提供することにある。また、本発明の他の目的は、実行した複数の検査処理の結果を検査順序に対応して把握し、複数の検査処理の結果を効率よく解析することが可能な電気機器を提供することにある。
【０００６】
本発明の他の目的は、電気機器で実行された各検査処理の結果が正常な検査結果であるか否かを解析装置によって判断することにより、検査担当者が各検査処理の結果と正常な検査結果とを目視で確認する必要がなく、検査担当者の検査負担を軽減すると共に、各検査処理の結果と正常な検査結果との比較を高速に行なうことが可能な機器解析システムを提供することにある。
【０００７】
本発明の他の目的は、予め用意してある基準情報に基づいて、外部の表示装置に表示された情報が正しいか否かを判断することが可能な解析装置を提供することにある。また、本発明の他の目的は、外部の表示装置にコードが表示された場合、コードを読み取って解析し、その解析結果が正しいか否かを効率よく判断することが可能な解析装置を提供することにある。更に、本発明の他の目的は、外部の表示装置に表示された情報が正しいか否かを判断するための基本情報を外部から取得する構成とすることにより、外部の表示装置に表示される情報の内容が変更された場合であっても、基準情報を書き換えることにより対応が可能な解析装置を提供することにある。
【課題を解決するための手段】
【０００８】
本発明に係る電気機器は、表示部を備える電気機器において、１又は複数の検査処理に係る検査情報を記憶してある検査情報記憶手段と、該検査情報記憶手段に記憶してある各検査情報を読み出す読み出し手段と、該読み出し手段が読み出した各検査情報に対応する検査処理を実行する検査手段と、該検査手段が実行した各検査処理の結果を示す情報を前記表示部に表示させる表示制御手段とを備えることを特徴とする。
【０００９】
本発明に係る電気機器は、前記検査手段が実行した各検査処理の結果を示す情報をコード化するコード化手段を備え、前記表示制御手段は、前記コード化手段がコード化した情報を前記表示部に表示させるように構成してあることを特徴とする。
【００１０】
本発明に係る電気機器は、前記コード化手段は、前記検査手段が実行した各検査処理の結果を示す情報を単一のコードにコード化するように構成してあることを特徴とする。
【００１１】
本発明に係る電気機器は、前記検査情報記憶手段は、複数の検査処理に係る検査情報を検査順序に対応して記憶する構成としてあり、前記読み出し手段は、前記検査情報記憶手段から複数の検査情報を検査順序に従って読み出すように構成してあることを特徴とする。
【００１２】
本発明に係る電気機器は、前記検査情報は、自身の機器に取り付けられるべき部品の有無を検査するための情報であることを特徴とする。
【００１３】
本発明に係る電気機器は、前記コード化手段は、前記検査処理の結果を示す情報を２次元コードにコード化するように構成してあることを特徴とする。
【００１４】
上述したような本発明の電気機器によれば、１又は複数の検査処理に係る検査情報を検査情報記憶手段に記憶しており、各検査情報を読み出して対応する検査処理を実行した場合、実行した各検査処理の結果を示す情報を表示部に表示させる。よって、電気機器で実行された各種の検査処理の結果を外部へ報知することが可能となる。また、実行された各検査処理の結果を示す情報を表示部に表示させる際にコード化することにより、表示部に表示されたコードに基づいて、電気機器で実行された各種の検査処理の結果を外部の装置によって解析することが可能となる。更に、実行された各検査処理の結果を示す情報を単一のコードにコード化することにより、表示部に表示された１つのコードによって複数の検査処理の結果を示すことが可能となる。
【００１５】
本発明の電気機器によれば、複数の検査処理に係る検査情報を検査順序に対応して検査情報記憶手段に記憶しており、検査順序に従って、各検査情報を読み出して対応する検査処理を実行し、実行した各検査処理の結果を示す情報を表示部に表示させる。よって、電気機器で実行された各種の検査処理の結果を検査順序に対応して把握することが可能となる。また、電気機器で実行される検査処理に係る検査情報としては、自身の機器に取り付けられるべき部品の有無を検査するための情報があり、電気機器の製造段階において各部品の有無を確実に検査することが可能となる。更に、電気機器で実行された各検査処理の結果を示す情報を２次元コードにコード化することにより、表示部に表示された１つのコードでより多くの検査結果を示すことが可能となる。
【００１６】
本発明に係る機器解析システムは、表示部を有する電気機器と、該電気機器の動作を解析する解析装置とを備える機器解析システムにおいて、前記電気機器は、１又は複数の検査処理に係る検査情報を記憶してある検査情報記憶手段と、該検査情報記憶手段に記憶してある各検査情報を読み出す読み出し手段と、該読み出し手段が読み出した各検査情報に対応する検査処理を実行する検査手段と、該検査手段が実行した各検査処理の結果を示す情報を前記表示部に表示させる表示制御手段とを有しており、前記解析装置は、前記検査処理における正常な検査結果を示す基準情報を記憶してある基準情報記憶手段と、前記電気機器の表示部に表示された情報を取得する情報取得手段と、該情報取得手段が取得した情報が示す各検査処理の結果及び前記基準情報記憶手段に記憶してある基準情報を比較する比較手段と、該比較手段による比較結果を報知する手段とを有していることを特徴とする。
【００１７】
本発明に係る機器解析システムは、前記電気機器は、前記検査手段が実行した各検査処理の結果を示す情報をコード化するコード化手段を備え、前記表示制御手段は、前記コード化手段が前記情報をコード化して得られたコードを前記表示部に表示させるように構成してあり、前記解析装置は、前記電気機器の表示部に表示されたコードを読み取るコード読み取り手段と、該コード読み取り手段が読み取ったコードを解析する解析手段とを備え、前記情報取得手段は、前記解析手段がコードを解析して得られた前記情報を取得するように構成してあることを特徴とする。
【００１８】
上述したような本発明の機器解析システムによれば、表示部を有する電気機器が、１又は複数の検査処理に係る検査情報を検査情報記憶手段に記憶しており、各検査情報を読み出して対応する検査処理を実行した場合、実行した各検査処理の結果を示す情報を表示部に表示させる。このような電気機器の動作を解析する解析装置は、電気機器で実行される検査処理における正常な検査結果を示す基準情報を基準情報記憶手段に記憶しており、電気機器の表示部に表示された情報を取得し、取得した情報が示す各検査処理の結果と、基準情報記憶手段に記憶してある基準情報とを比較し、その比較結果を報知する。よって、電気機器で実行された各種の検査処理の結果が正常な検査結果であるか否かを解析装置によって判断することが可能となる。
【００１９】
また、電気機器が、実行した各検査処理の結果を示す情報を表示部に表示させる際にコード化し、解析装置が、電気機器の表示部に表示されたコードを読み取って解析し、この解析結果と基準情報とを比較する。よって、電気機器で実行された各種の検査処理の結果が正常な検査結果であるか否かを解析装置が判断する際に、１つのコードが示す複数の検査処理の結果の判断を同時に行なうことが可能となる。
【００２０】
本発明に係る解析装置は、外部の表示装置に表示された情報を取得する情報取得手段を備える解析装置において、前記情報取得手段が取得する情報に係る基準情報を記憶してある基準情報記憶手段と、該基準情報記憶手段に記憶してある基準情報及び前記情報取得手段が取得した情報を比較する比較手段と、該比較手段による比較結果を報知する手段とを備えることを特徴とする。
【００２１】
本発明に係る解析装置は、外部の表示装置に表示されたコードを読み取るコード読み取り手段と、該コード読み取り手段が読み取ったコードを解析する解析手段とを備える解析装置において、前記コード読み取り手段が読み取るコードに係る基準情報を記憶してある基準情報記憶手段と、該基準情報記憶手段に記憶してある基準情報及び前記解析手段による解析結果を比較する比較手段と、該比較手段による比較結果を報知する手段とを備えることを特徴とする。
【００２２】
本発明に係る解析装置は、前記基準情報を外部から取得する取得手段と、該取得手段が取得した基準情報を前記基準情報記憶手段に記憶させる手段とを備えることを特徴とする。
【００２３】
上述したような本発明の解析装置によれば、外部の表示装置に表示された情報を取得し、予め記憶してある基準情報と比較し、比較結果を報知する。よって、外部から取得した情報と基準情報との差異を報知することが可能となる。また、外部の表示装置にコードが表示された場合、コードを読み取って解析し、解析結果と予め記憶してある基準情報とを比較し、比較結果を報知する。よって、１つのコードに含まれる複数の情報を基準情報と比較する際に、一度に複数の比較処理が可能となる。更に、本発明の解析装置によれば、基準情報記憶手段に記憶させる基準情報を外部から取得する構成とすることにより、外部の表示装置に表示される種々の情報に対して、それぞれに対応する基準情報との比較処理を行なうことが可能となる。
【発明の効果】
【００２４】
本発明では、電気機器が、１又は複数の検査処理を実行した場合、実行した各検査処理の結果を示す情報を表示部に表示させることにより、電気機器で実行された各種の検査処理の結果を外部へ報知することができる。また、電気機器が、実行した各検査処理の結果を示す情報をコード化して表示部に表示させることにより、表示部に表示されたコードに基づいて、電気機器で実行された各種の検査処理の結果を外部の装置によって解析することができる。更に、電気機器が、実行した各検査処理の結果を示す情報を単一のコードにコード化することにより、表示部に表示された１つのコードによって複数の検査処理の結果を示すことができ、１つのコードが示す複数の検査処理の結果を外部の装置によって同時に解析することができ、電気機器における検査処理の結果を高速に解析することができる。
【００２５】
本発明では、電気機器が、複数の検査処理を予め設定された検査順序で実行し、実行した各検査処理の結果を示す情報を表示部に表示させる。よって、電気機器で実行された各種の検査処理の結果を検査順序に対応して把握することができる。また、電気機器で実行される検査処理としては、自身の機器に取り付けられるべき部品の有無を検査する処理があり、電気機器の製造段階において各部品の有無を確実に検査することができる。更に、電気機器が、実行した各検査処理の結果を示す情報を２次元コードにコード化することにより、表示部に表示された１つのコードでより多くの検査結果を示すことができ、１つのコードが示すより多くの検査処理の結果を外部の装置によって同時に解析することができ、電気機器における検査処理の結果をより高速に解析することができる。
【００２６】
本発明では、機器解析システムにおける電気機器が、１又は複数の検査処理を実行した場合、実行した各検査処理の結果を示す情報を表示部に表示させ、このような電気機器の動作を解析する解析装置が、電気機器の表示部に表示された情報を取得し、取得した情報が示す各検査処理の結果と、予め基準情報記憶手段に記憶してある基準情報が示す正常な検査結果とを比較し、その比較結果を報知する。よって、電気機器で実行された各種の検査処理の結果が正常な検査結果であるか否かを解析装置によって判断することができる。従って、電気機器で実行された各種の検査処理の結果が正常な検査結果であるか否かの判断を、検査担当者が目視で確認する必要がなく、検査担当者の検査負担を軽減することができる。
【００２７】
また、電気機器が、実行した各検査処理の結果を示す情報をコード化して表示部に表示させ、解析装置が、電気機器の表示部に表示されたコードを読み取って解析し、この解析結果と基準情報とを比較する。よって、電気機器で実行された各種の検査処理の結果が正常な検査結果であるか否かを解析装置が判断する際に、１つのコードが示す複数の検査処理の結果の判断を同時に行なうことができ、電気機器における検査処理の結果が正常であるか否かの解析処理を高速に行なうことができる。
【００２８】
本発明では、解析装置が、外部の表示装置に表示された情報を取得し、取得した情報と、予め用意してある基準情報との差異を報知することにより、基準情報に基づいて、取得した情報が正しいか否かを判断することができる。また、外部の表示装置にコードが表示された場合、解析装置が、コードを読み取って解析し、その解析結果と基準情報との差異を報知する。よって、解析結果と基準情報とを比較する際に、１つのコードに含まれる複数の情報の比較を同時に行なうことができ、このような基本情報に基づく比較処理を高速に行なうことができる。更に、解析装置が、基準情報を外部から取得する構成とすることにより、外部の表示装置に表示される種々の情報との比較を行なうための基準情報を適宜変更することができ、外部の表示装置に表示される情報の内容が変更された場合であっても、基準情報を書き換えることにより対応できる。
【発明を実施するための最良の形態】
【００２９】
以下に、本発明に係る機器解析システムについて、その実施形態を示す図面に基づいて詳述する。なお、本実施形態では、本発明に係る電気機器を空気調和機に適用した例について説明するが、本発明に係る電気機器は、表示手段を備えた電気機器又は表示手段との接続が可能な電気機器であれば空気調和機に限られない。
【００３０】
図１は本発明に係る機器解析システムの構成例を示すブロック図である。本実施形態に係る機器解析システム１００は、本発明に係る電気機器としての空気調和機１と、本発明に係る解析装置２とにより構成されている。
本実施形態に係る空気調和機１は、制御部１０、ＲＯＭ１１、ＲＡＭ１２、各種センサ１３、操作部１４、液晶表示部１５、受光部１６、空調部１７、送風機１８、風向板１９等を備えており、それぞれは、バス１ａを介して相互に接続されている。
【００３１】
なお、本実施形態の空気調和機１は、リモートコントロール装置（以下、リモコンという）１６ａによって遠隔操作されるように構成されている。従って、空気調和機１は、ユーザがリモコン１６ａを操作することによってリモコン１６ａから発せられる制御信号に基づいて、室内の暖房及び冷房をそれぞれ行なう暖房運転及び冷房運転を実行し、室内の温度を調節する空調動作を行なう。なお、空気調和機１及びリモコン１６ａは、例えば、赤外線を利用したＩｒＤＡ（Infrared Data Association）規格に従う無線通信を行なうように構成されている。
【００３２】
制御部１０は、ＣＰＵ（Central Processing Unit ）又はＭＰＵ（Micro Processor Unit）等で構成されており、バス１ａを介して接続される上述したようなハードウェア各部の動作を制御すると共に、ＲＯＭ１１に予め格納されている制御プログラムを適宜ＲＡＭ１２に読み出して実行する。ＲＯＭ１１には、空気調和機１を本発明に係る電気機器として動作させるために必要な種々の制御プログラムが予め格納されている。ＲＡＭ１２はＳＲＡＭ又はＤＲＡＭ等で構成されており、制御部１０による制御プログラムの実行時に発生するデータを一時的に記憶する。
【００３３】
各種センサ１３は、例えば、空気調和機１が設置された室内の温度を計測する室内温度センサ、空気調和機１の室外機（図示せず）に設けられた室外の温度を計測する室外温度センサ、室内の湿度を計測する湿度センサ、空気中の塵埃を取り除くために空気調和機１に設けられたフィルタの汚れを計測する汚れセンサ等である。
【００３４】
操作部１４は、ユーザからの操作指示を受け付けるための各種の操作スイッチを備えており、冷房運転又は暖房運転の選択、目標温度の設定、風向の変更等の指示を受け付け、操作された操作スイッチに対応する制御信号を制御部１０へ送出する。
【００３５】
受光部１６は、リモコン１６ａから発せられる各種の制御信号を受け付け、受け付けた制御信号を制御部１０へ送出する。制御部１０は、操作部１４又は受光部１６から送出された制御信号に基づいて、ＲＯＭ１１に格納されている制御プログラムを適宜実行する。なお、リモコン１６ａには、冷房運転又は暖房運転の選択、目標温度の設定、風向の変更等の指示をユーザが行なうための操作スイッチが設けられており、リモコン１６ａは、ユーザによって操作された操作スイッチに対応する制御信号を送出する。
【００３６】
液晶表示部（表示部）１５は、例えば液晶ディスプレイにより構成されており、空気調和機１の運転状況、操作部１４又はリモコン１６ａを通じて設定された各種の設定値、ユーザに対して報知すべき情報等を表示する。
【００３７】
空調部１７は、熱交換器（図示せず）を備え、室外の空気と室内の空気との間で熱交換を行なうことによって冷房運転又は暖房運転を行なう。送風機１８は、空調部１７によって空調された空気を室内へ吹き出すためのファンである。風向板１９は、送風機１８によって室内へ吹き出される空気の吹出風向を上下方向に沿って調整する。空調部１７、送風機１８及び風向板１９はそれぞれ、制御部１０からの指示に従って動作する。
【００３８】
一方、解析装置２は、例えばＰＣにより構成され、制御部２０、ＲＯＭ２１、ＲＡＭ２２、キーボード及びマウス等の操作部２３、液晶ディスプレイ又はＣＲＴディスプレイ等からなる表示部２４、スキャナ２５、大容量の記憶装置であるＨＤＤ２６等を備えており、それぞれはバス２ａで相互に接続されている。
【００３９】
制御部２０は、ＣＰＵ又はＭＰＵ等で構成されており、バス２ａを介して接続される上述したようなハードウェア各部の動作を制御すると共に、ＲＯＭ２１又はＨＤＤ２６に予め格納されている制御プログラムを適宜ＲＡＭ２２に読み出して実行する。ＲＯＭ２１又はＨＤＤ２６には、解析装置２を本発明に係る解析装置として動作させるために必要な種々の制御プログラムが予め格納されている。ＲＡＭ２２はＳＲＡＭ又はフラッシュメモリ等で構成されており、制御部２０による制御プログラムの実行時に発生するデータを一時的に記憶する。
【００４０】
スキャナ２５は、例えばＣＣＤ（Charged Coupled Device）により構成されており、制御部２０の制御に従ったタイミングで画像データを取り込み、得られた画像データに対して所定の処理を施す。
【００４１】
以下に、上述した構成の機器解析システム１００において、上述した構成の解析装置２が、上述した構成の空気調和機１の動作を解析する処理について説明する。なお、本実施形態では、機器解析システム１００において、空気調和機１が工場での製品組み立て時において自身で行なう各種の検査処理の結果が正常な検査結果であるか否かを、解析装置２が解析する構成について説明する。
【００４２】
本実施形態では、空気調和機１のＲＯＭ（検査情報記憶手段）１１に、空気調和機１の製品組み立て時において行なわれるべき各種の検査処理に係る検査情報が登録された検査情報テーブルが記憶されている。図２は空気調和機１が行なう検査処理を説明するための説明図であり、図２（ａ）に検査情報テーブルの構成例を示す。図２（ａ）に示すように、検査情報テーブルには、各検査処理に係る検査情報として各検査内容が検査順序に対応して登録されている。
【００４３】
検査内容としては、例えば、空気調和機１に取り付けられるべき部品の有無の検査があり、具体的には、操作部１４の操作スイッチのうちの所定の機能を設定するための機能設定スイッチ１，２，３、各種センサ１３のうちの室内温度センサ、室外温度センサ、湿度センサ、汚れセンサ等のそれぞれが、バス１ａを介して制御部１０と正しく接続されているか否かを調べる検査がある。
【００４４】
空気調和機１の制御部（読み出し手段）１０は、例えば検査担当者によって操作部１４が操作されることにより上述した検査処理の実行が指示された場合、ＲＯＭ１１の検査情報テーブルから、各検査内容を検査順序に従って読み出す。また、制御部（検査手段）１０は、読み出した検査内容に対応する検査処理を実行し、実行した各検査処理の結果を示す情報を順次ＲＡＭ１２に記憶させる。
【００４５】
なお、機能設定スイッチ１がバス１ａを介して制御部１０と正しく接続されている場合（機能設定スイッチ１が有りの場合）、制御部１０は、検査順序「１」に対応する検査結果を示す情報として「１」をＲＡＭ１２に記憶させる。また、機能設定スイッチ１が正しく接続されていない場合（機能設定スイッチ１が無しの場合）、制御部１０は、検査順序「１」に対応する検査結果を示す情報として「０」をＲＡＭ１２に記憶させる。その他の検査処理についても同様に、検査結果を示す情報が「０」又は「１」に数値化される。
【００４６】
空気調和機１の製品組み立て時において行なわれる検査処理としては、上述したような、空気調和機１が正常に運転するために必要な各種センサ１３及び操作部１４のそれぞれが制御部１０と正常に接続されているか否かの検査のほかに、例えば、ＲＯＭ１１又はＲＡＭ１２の所定領域に予め設定されるべき制御定数（０又は１）が正しい数値であるか否かの検査がある。この検査の場合、制御部１０は、ＲＯＭ１１又はＲＡＭ１２の所定領域から読み出した数値を検査結果としてＲＡＭ１２に記憶させる。
【００４７】
制御部（コード化手段、表示制御手段）１０は、ＲＯＭ１１の検査情報テーブルに登録されている全ての検査内容に対応する検査処理が終了した場合、全ての検査処理の結果を１つのコードにコード化して液晶表示部１５に表示させる。図２（ｂ）は、液晶表示部１５に表示されたコードの構成例を示す。図２（ｂ）に示すように、制御部１０は、ＲＡＭ１２に記憶させた各検査処理の結果が「１」である場合には所定領域を黒に、各検査処理の結果が「０」である場合には所定領域を白にした２次元コードを生成する。
【００４８】
図２（ｂ）に示す２次元コードにおいては、コードの左上隅の領域が、検査順序「１」の検査処理の結果を示しており、図中の矢符ｘで示す方向に順次隣り合う各領域が、各検査順序に従って各検査処理の結果を示している。また、ｘ方向の右端の領域の次は、図中の矢符ｙで示す方向に隣り合う次の段の左端の領域が、次の検査処理の結果を示す。なお、２次元コードの構成はこれに限るものではない。
【００４９】
上述したような２次元コードを液晶表示部１５に表示している空気調和機１に対して、解析装置２は、スキャナ（コード読み取り手段、解析手段）２５によって２次元コードを読み取り、得られた画像データに対して所定の処理を施し、読み取った２次元コードを解析する。スキャナ（情報取得手段）２５は、２次元コードを解析することにより、空気調和機１で行なわれた各種の検査処理の結果を示す情報を取得する。具体的には、スキャナ２５は、空気調和機１のＲＡＭ１２に記憶されていた各検査処理の結果であり、「０」又は「１」に数値化された各検査処理の結果を示す情報を取得する。スキャナ２５は、取得した検査結果をＲＡＭ２２に一旦記憶させる。
【００５０】
ここで、本実施形態の解析装置２のＨＤＤ（基準情報記憶手段）２６には、空気調和機１によって行なわれる各検査処理における正常な検査結果を示す（基準情報）が検査順序に対応して予め記憶されている。具体的には、例えば、空気調和機１の機能設定スイッチ１が制御部１０と正しく接続されているか否か（機能設定スイッチ１の有無）の検査において、正しく接続されていることが正常な検査結果であれば、検査順序「１」に対応する正常な検査結果を示す基準情報として「１」がＨＤＤ２６に記憶されている。また、空気調和機１のＲＯＭ１１又はＲＡＭ１２の所定領域に予め設定されるべき制御定数が正しい数値（０又は１）であるか否かの検査においては、予め設定されるべき制御定数が正常な検査結果を示す基準情報としてＨＤＤ２６に記憶されている。
【００５１】
解析装置２の制御部（比較手段）２０は、スキャナ２５によって取得した各検査処理の結果を示す情報を、ＨＤＤ２６に予め記憶されている正常な検査結果を示す基準情報と比較する。制御部２０は、ＨＤＤ２６に記憶してある基準情報に基づいて、ＲＡＭ２２に記憶させた各検査処理の結果が正常な検査結果であるか否かを判断し、判断結果を表示部２４に表示させて検査担当者に報知する。
【００５２】
具体的には、制御部２０は、例えば、基準情報に基づいて正常な検査結果ではないと判断した検査処理について、それぞれの検査処理毎に検査順序、検査処理の結果及び正常な検査結果等を対応付けて表示部２４に表示させる。また、全ての検査処理について、それぞれの検査処理毎に、検査順序、検査処理の結果及び正常な検査結果等と共に、この検査処理の結果が正常な検査結果であるか否かを示す情報を対応付けて表示部２４に表示させるようにしてもよい。
【００５３】
以下に、本実施形態の空気調和機１が製品組み立て時に行なう検査処理についてフローチャートに基づいて具体的に説明する。図３は本実施形態に係る空気調和機１における検査処理の手順を示すフローチャートである。なお、以下の処理は、ＲＯＭ１１に予め格納されている制御プログラムに従って制御部１０によって実行される。
【００５４】
空気調和機１の検査担当者は、製品組み立て時の各工程において必要な検査処理を行なう場合、操作部１４に所定の操作を行なう。空気調和機１の制御部１０は、操作部１４からの制御信号に基づいて、検査処理の実行が指示されたか否かを判断し（Ｓ１）、検査処理の実行が指示されていないと判断した場合（Ｓ１：ＮＯ）、何も行なわずに待機する。
【００５５】
制御部１０は、検査処理の実行が指示されたと判断した場合（Ｓ１：ＹＥＳ）、ＲＯＭ１１の検査情報テーブルから、検査順序に従って各検査内容を読み出す（Ｓ２）。制御部１０は、読み出した検査内容に対応する検査処理を実行し（Ｓ３）、検査結果を示す情報をＲＡＭ１２に記憶させる（Ｓ４）。制御部１０は、検査情報テーブルに登録してある全ての検査が終了したか否かを判断し（Ｓ５）、全ての検査が終了していないと判断した場合（Ｓ５：ＮＯ）、ステップＳ２に処理を戻し、ステップＳ２からＳ４までの処理を繰り返し、順次行なう各検査処理の結果を示す情報をＲＡＭ１２に記憶させる。
【００５６】
制御部１０は、全ての検査が終了したと判断した場合（Ｓ５：ＹＥＳ）、ＲＡＭ１２に記憶させた各検査処理の結果を示す情報をコード化して１つの２次元コードを生成し（Ｓ６）、生成した２次元コードを液晶表示部１５に表示させる（Ｓ７）。
【００５７】
次に、本実施形態の解析装置２において、上述したように空気調和機１が行なった検査処理の結果を解析する処理についてフローチャートに基づいて具体的に説明する。図４は本実施形態に係る解析装置２における解析処理の手順を示すフローチャートである。なお、以下の処理は、ＨＤＤ２６又はＲＯＭ２１に予め格納されている制御プログラムに従って制御部２０によって実行される。
【００５８】
空気調和機１の検査担当者は、空気調和機１が上述したような検査処理を行なって得られた検査結果を示す情報をコード化した２次元コードを液晶表示部１５に表示した場合、解析装置２の操作部２３に所定の操作を行なうことによって解析処理の実行を指示する。解析装置２の制御部２０は、操作部２３からの制御信号に基づいて、空気調和機１における検査結果の解析処理の実行が指示されたか否かを判断し（Ｓ１１）、解析処理の実行が指示されていないと判断した場合（Ｓ１１：ＮＯ）、何も行なわずに待機する。
【００５９】
制御部２０は、解析処理の実行が指示されたと判断した場合（Ｓ１１：ＹＥＳ）、空気調和機１の液晶表示部１５に表示された２次元コードをスキャナ２５によって読み取り（Ｓ１２）、得られた画像データに基づいて、読み取った２次元コードを解析する（Ｓ１３）。制御部２０は、スキャナ２５によって２次元コードを解析することにより、空気調和機１で行なわれた検査処理の結果を示す情報を取得し、この情報をＲＡＭ２２に一旦記憶させる（Ｓ１４）。
【００６０】
制御部２０は、ステップＳ１２〜Ｓ１４の各処理に基づいて、空気調和機１の液晶表示部１５に表示された２次元コードの読み取りが成功したか否かを判断し（Ｓ１５）、２次元コードの読み取りに失敗したと判断した場合（Ｓ１５：ＮＯ）、２次元コードを読み取れなかったことを示すメッセージを表示部２４に表示することにより、読み取りエラーの発生を検査担当者に通知し（Ｓ１６）、上述した処理を終了する。なお、制御部２０は、１つの２次元コードに対して所定回数の読み取りを試み、所定回数の読み取りに失敗した場合に、読み取りエラーの発生を検査担当者に通知するようにしてもよい。
【００６１】
制御部２０は、２次元コードの読み取りが成功したと判断した場合（Ｓ１５：ＹＥＳ）、ＨＤＤ２６に予め記憶されている基準情報を読み出し（Ｓ１７）、読み出した基準情報と、ステップＳ１４でＲＡＭ２２に記憶させた検査結果を示す情報とを比較し（Ｓ１８）、比較結果を表示部２４に表示させる（Ｓ１９）。
【００６２】
上述した構成により、本実施形態の機器解析システム１００では、空気調和機１で行なわれた検査処理の結果が正常な結果であるか否かを解析装置２が解析するので、空気調和機１の検査担当者が目視によって各検査結果の確認を行なう必要がなくなり、検査担当者の負担を軽減することができる。また、解析装置２がスキャナ２５で読み取る１つのコードには複数の検査結果がコード化されているため、解析装置２は、一度に多数の検査結果の解析を行なうことができ、空気調和機１における検査処理の結果の解析処理を短時間で行なうことができる。
【００６３】
上述した実施形態では、空気調和機１の制御部１０が、各検査処理の結果を図２（ｂ）に示すようなコードにコード化する構成について説明したが、これに限られず、１次元バーコード、スタック型又はマトリクス型等の２次元コードであってもよい。
【００６４】
上述した実施形態では、空気調和機１のＲＯＭ１１に１つの検査情報テーブルが記憶されている構成について説明したが、複数の検査情報テーブルを記憶させておいてもよい。この場合、検査担当者は、各製造段階に対応した検査情報テーブルに基づく検査処理の実行を空気調和機１に指示すればよく、各製造段階に応じた検査処理の結果を適切に解析することができる。なお、解析装置２のＨＤＤ２６にも各検査情報テーブルに対応する基準情報を記憶させておく必要がある。
【００６５】
また、空気調和機１が行なう検査処理としては、上述のほかに、例えば、製造工程の途中での実運転工程では、リモコン１６ａからの制御信号、送風機１８の回転スピード、送風の吹き出し方向を制御する風向板１９の動作角度等の検査がある。また、製造終了後の長時間エージング運転時では、空調部１７、送風機１８、風向板１９等の動作状態の検査がある。
【００６６】
なお、解析装置２をフレキシブルディスク、ＣＤ−ＲＯＭ、ＤＶＤ−ＲＯＭ等の外部メモリにアクセスできるように構成した場合には、解析装置２は、上述したような正常な検査結果を示す基準情報を外部から取得してＨＤＤ２６に記憶させることができ、検査内容の追加及び変更等に適宜対応することができる。また、ネットワークを介して外部のサーバから基準情報を取得できるように解析装置２を構成してもよい。
【００６７】
更に、空気調和機１の制御部１０が、検査結果をコード化する際に、空気調和機１を特定する情報、例えば、空気調和機１のモデル番号、型番号等も含めてコード化するように空気調和機１を構成することもできる。この場合、解析装置２のＨＤＤ２６に、空気調和機１を特定する情報のそれぞれに対応して基準情報を記憶させておき、制御部２０が、コードを読み取って得られた情報に基づいて、解析処理に用いる基準情報を自動的に選択することにより、異なるモデルの空気調和機、異なる電気機器における検査結果を解析することができる。また、解析装置２の表示部２４に、解析結果と共に、空気調和機１（電気機器）を特定する情報を表示させた場合には、解析装置２における解析処理の対象を明示することができる。
【００６８】
上述した実施形態では、空気調和機１が検査処理の結果を示す２次元コードを液晶表示部１５に表示した後に、検査担当者が解析装置２のスキャナ２５によって２次元コードの読み取りを行なう構成について説明した。しかし、例えば、解析装置２のスキャナ２５が常に空気調和機１の液晶表示部１５の表示情報を読み取れるように、スキャナ２５を液晶表示部１５に対向配置させておくこととしてもよい。この場合、解析装置２の制御部２０が、スキャナ２５からの情報に基づいて、２次元コードの読み取りを行なったか否かを判断すればよい。
【００６９】
また、空気調和機１に、例えばブザーを設け、検査処理の終了後に検査結果を示す２次元コードを液晶表示部１５に表示させると共にブザーを鳴動させるように空気調和機１を構成してもよい。この場合、検査担当者は、ブザーの鳴動によって、空気調和機１における検査処理の終了を認識することができ、続いて解析装置２による解析処理を行なうことができる。この場合、上述したように空気調和機１の液晶表示部１５にスキャナ２５を対向配置し続ける必要がないので、一台の空気調和機１による一台の解析装置２の占有時間を短縮することができる。
【図面の簡単な説明】
【００７０】
【図１】本発明に係る機器解析システムの構成例を示すブロック図である。
【図２】空気調和機が行なう検査処理を説明するための説明図である。
【図３】本実施形態に係る空気調和機における検査処理の手順を示すフローチャートである。
【図４】本実施形態に係る解析装置における解析処理の手順を示すフローチャートである。
【符号の説明】
【００７１】
１００  機器解析システム
１  空気調和機（電気機器）
１０  制御部（読み出し手段、検査手段、コード化手段、表示制御手段）
１１  ＲＯＭ（検査情報記憶手段）
１５  液晶表示部（表示部）
２  解析装置
２０  制御部（比較手段）
２５  スキャナ（コード読み取り手段、解析手段、情報取得手段）
２６  ＨＤＤ（基準情報記憶手段）
【図１】
2008116301.tif 000003
【図２】
2008116301.tif 000004
【図３】
2008116301.tif 000005
【図４】
2008116301.tif 000006